(57)【特許請求の範囲】
【請求項１】
エレベータの乗場出入口に、火災発生時に降下して前記乗場出入口を閉塞する防火防煙シャッター装置が乗場三方枠とは別に設けられたエレベータの防火防煙シャッター装置において、
前記乗場三方枠の左右縦柱の外側の側壁に前方に突出してそれぞれ設けられ、かつ内側開放端を互いに対向させて配置した断面コ字状の左右縦枠と、
前記乗場出入口の上方に位置した乗場三方枠の上部幕板の前面でかつ前記左右縦枠間に設けられ、内部に防火防煙シャッターが内蔵されたシャッターボックスと、
一方の縦枠の正面中央部のコ字状部内側に組み込まれ、操作部が正面中央部に突出し火災発生時に防火防煙シャッター装置を手動操作にて降下動作させる手動閉鎖装置と、
他方の縦枠の正面中央部に突出するように組み込まれた乗場操作釦と、
前記左右縦枠のコ字状部の内側開放端に互いに対向するように設けられ、前記防火防煙シャッターを案内するシャッターガイドレールと、
を備えたことを特徴とするエレベータの防火防煙シャッター装置。
【請求項２】
シャッターボックスの前面に乗場インジケータが組み込まれたことを特徴とする請求項１記載のエレベータの防火防煙シャッター装置。
【請求項３】
断面コ字状の左右縦枠は、乗場三方枠の左右縦柱の外側にそれぞれ取り付けられるベース部分と、前記各ベース部分にそれぞれ取り付けられる断面Ｌ字状の意匠カバー部分との２分割構成としたことを特徴とする請求項１又は請求項２記載のエレベータの防火防煙シャッター装置。
【請求項４】
縦枠のベース部分を乗場三方枠の縦柱に直接固定したことを特徴とする請求項３記載のエレベータの防火防煙シャッター装置。
【請求項５】
複数台のかごが隣接設置されたエレベータの各乗場出入口に、火災発生時に降下して前記各乗場出入口を閉塞する各台毎の防火防煙シャッター装置が各台毎の乗場三方枠とは別に設けられたエレベータの防火防煙シャッター装置において、
前記各台毎の乗場三方枠の外側縦柱の外側の側壁に前方に突出してそれぞれ設けられ、かつ内側開放端を互いに対向させて配置した断面コ字状の両側縦枠と、
並設された前記各台毎の乗場三方枠の内側縦柱間の側壁に前方に突出して設けられ、かつ両側開放端をそれぞれ各両側縦枠に対向させて配置した断面コ字状の中央縦枠と、
前記各台毎の前記乗場出入口の上方に位置した乗場三方枠の上部幕板の前面でかつ前記両側縦枠と中央縦枠の間にそれぞれ設けられ、内部に各台毎の防火防煙シャッターが内蔵された各台毎のシャッターボックスと、
前記各両側縦枠の正面中央部のコ字状部内側に組み込まれ、操作部が正面中央部に突出し火災発生時に防火防煙シャッター装置をそれぞれ手動操作にて降下動作させる各台毎の手動閉鎖装置と、
前記中央縦枠の正面中央部に突出するように組み込まれた共通の乗場操作釦と、
前記両側縦枠のコ字状部の内側開放端に設けられ、各台毎の前記防火防煙シャッターの片側を案内する両側シャッターガイドレールと、
前記中央縦枠の両側開放端に前記両側シャッターガイドレールと互いに対向するように設けられ、各台毎の前記防火防煙シャッターの他の片側を案内する中央シャッターガイドレールと、
を備えたことを特徴とするエレベータの防火防煙シャッター装置。
【請求項６】
縦枠に設けられた乗場操作釦は、既存の乗場操作釦相当の配線に接続されていることを特徴とする請求項１又は請求項５記載のエレベータの防火防煙シャッター装置。
【請求項７】
シャッターボックスに設けられた乗場インジケータは、既存の乗場インジケータ相当の配線に接続されていることを特徴とする請求項２記載のエレベータの防火防煙シャッター装置。
【発明の詳細な説明】
【技術分野】
【０００１】
この発明は、エレベータの防火防煙シャッター装置に関するものである。
【背景技術】
【０００２】
従来、建物の増改築等でエレベータの乗場出入口に遮煙性能が別途要求されるケースがある。このような場合、エレベータ乗場を区画する方法として、エレベータ乗場出入口に防火防煙性能を有するシャッター又はスクリーンを後付けにて設置する方法がある。
図９〜図１２は従来のエレベータの防火防煙シャッター装置を設置した例を示すものであり、図９〜図１１はかごが１台設置の場合を示し、図１２はかごが２台並設された場合の例を示している。図において、１は乗場床面、２は乗場天井面、３はエレベータの乗場出入口に設置された乗場三方枠、４は乗場出入口を開閉する乗場の戸、１７は乗場側壁に設けられた乗場操作釦等からなるエレベータ操作信号器具であり、１７ａはその配線部であり、これらは既設のものである。１６は乗場側壁に設けられた手動閉鎖装置で、火災発生時に防火防煙性能を有するシャッターを手動にて動作させるものである。１５は乗場三方枠３の左右縦柱の外側の側壁に前方に突出して設けられた縦枠、１８は縦枠１５の内部に設けられたシャッターガイドレール、１９は乗場三方枠３の上部幕板の前面でかつ縦枠１５間に設けられたシャッターボックスで、防火防煙シャッター２０を内蔵している。
従来のエレベータの防火防煙シャッター装置は、既設のエレベータ設備である乗場三方枠３とは別に、手動閉鎖装置１６、縦枠１５、防火防煙性能を有するシャッター２０を内蔵したシャッターボックス１９等からなる防火防煙シャッター装置を後付けにて設置している。なお、このような防火防煙シャッター装置の構成は、従来から良く知られている（例えば、特許文献１〜３参照）。
【０００３】
【特許文献１】特開２００５−２７２０４８号公報
【特許文献２】特開２００４−７６３３０号公報
【特許文献３】特開２００２−３０６６２２号公報
【発明の開示】
【発明が解決しようとする課題】
【０００４】
上記のような従来のエレベータの防火防煙シャッター装置では、既設のエレベータ設備である乗場三方枠３とは別に、手動閉鎖装置１６、縦枠１５、防火防煙性能を有するシャッター２０を内蔵したシャッターボックス１９等からなる防火防煙シャッター装置を後付けにて設置しているため、既設のエレベータ設備との一体感がなく、意匠性が悪かった。また、既設のエレベータ操作信号器具１７との寸法の取り合いや、配線部１７ａの引き回し等などの検討にも大幅な時間がかかっていた。特に、図１２に示すように、かごが２台並設された場合、エレベータ操作信号器具１７と縦枠１５との干渉検討や手動閉鎖装置１６の取り付け方法、取り付け位置の検討に時間がかかるという問題点があった。
【０００５】
この発明は上記のような課題を解決するためになされたもので、三方枠とは別体の防火防煙シャッターユニットにエレベータ操作信号器具などを組み込むことで、意匠性、据付け性を向上できるエレベータの防火防煙シャッター装置を提供するものである。
【課題を解決するための手段】
【０００６】
この発明に係るエレベータの防火防煙シャッター装置においては、エレベータの乗場出入口に、火災発生時に降下して乗場出入口を閉塞する防火防煙シャッター装置が乗場三方枠とは別に設けられたものにおいて、乗場三方枠の左右縦柱の外側の側壁に前方に突出してそれぞれ設けられ、かつ内側開放端を互いに対向させて配置した断面コ字状の左右縦枠と、乗場出入口の上方に位置した乗場三方枠の上部幕板の前面でかつ左右縦枠間に設けられ、内部に防火防煙シャッターが内蔵されたシャッターボックスと、一方の縦枠の正面中央部のコ字状部内側に組み込まれ、操作部が正面中央部に突出し火災発生時に防火防煙シャッター装置を手動操作にて降下動作させる手動閉鎖装置と、他方の縦枠の正面中央部に突出するように組み込まれた乗場操作釦と、左右縦枠のコ字状部の内側開放端に互いに対向するように設けられ、防火防煙シャッターを案内するシャッターガイドレールとを備えたものである。
【０００７】
また、複数台のかごが隣接設置されたエレベータの各乗場出入口に、火災発生時に降下して各乗場出入口を閉塞する各台毎の防火防煙シャッター装置が各台毎の乗場三方枠とは別に設けられたエレベータの防火防煙シャッター装置において、各台毎の乗場三方枠の外側縦柱の外側の側壁に前方に突出してそれぞれ設けられ、かつ内側開放端を互いに対向させて配置した断面コ字状の両側縦枠と、並設された各台毎の乗場三方枠の内側縦柱間の側壁に前方に突出して設けられ、かつ両側開放端をそれぞれ各両側縦枠に対向させて配置した断面コ字状の中央縦枠と、各台毎の乗場出入口の上方に位置した乗場三方枠の上部幕板の前面でかつ両側縦枠と中央縦枠の間にそれぞれ設けられ、内部に各台毎の防火防煙シャッターが内蔵された各台毎のシャッターボックスと、各両側縦枠の正面中央部のコ字状部内側に組み込まれ、操作部が正面中央部に突出し火災発生時に防火防煙シャッター装置をそれぞれ手動操作にて降下動作させる各台毎の手動閉鎖装置と、中央縦枠の正面中央部に突出するように組み込まれた共通の乗場操作釦と、両側縦枠のコ字状部の内側開放端に設けられ、各台毎の防火防煙シャッターの片側を案内する両側シャッターガイドレールと、中央縦枠の両側開放端に両側シャッターガイドレールと互いに対向するように設けられ、各台毎の防火防煙シャッターの他の片側を案内する中央シャッターガイドレールとを備えたものである。
【発明の効果】
【０００８】
この発明によれば、エレベータの防火防煙シャッター装置を構成する各ユニットに操作信号器具などのエレベータ機器を組み込むことにより、エレベータの防火防煙シャッター装置としての意匠性、据付け性を向上させることができるという効果がある。
【発明を実施するための最良の形態】
【０００９】
実施の形態１.
図１はこの発明の実施の形態１におけるエレベータの防火防煙シャッター装置を示す正面図、図２はこの発明の実施の形態１におけるエレベータの防火防煙シャッター装置を示す側面図、図３はこの発明の実施の形態１におけるエレベータの防火防煙シャッター装置を示す平面図、図４は図１のＡ−Ａ線に沿った断面図である。
【００１０】
図において、１は乗場床面、２は乗場天井面、３はエレベータの乗場出入口に設置された乗場三方枠で、左右縦柱と上部幕板から構成されている。４は乗場出入口を開閉する乗場の戸であり、これらは既設のものである。５ａ、５ｂは乗場三方枠３の左右縦柱の外側の側壁に前方に突出して設けられ、かつ内側開放端を互いに対向させて配置した断面コ字状の左右縦枠で、左側の縦枠５ａの正面中央部には火災発生時に防火防煙シャッター装置を手動にて降下動作させる手動閉鎖装置６が内蔵されて組み込まれており、右側の縦枠５ｂの正面中央部には乗場操作釦等からなる第１のエレベータ操作信号器具７が突出するように組み込まれている。８は縦枠５ａ、５ｂの内側開放端に互いに対向するように設けられたシャッターガイドレール、９は乗場出入口の上方に位置した乗場三方枠３の上部幕板の前面でかつ縦枠５ａ、５ｂ間に設けられたシャッターボックスで、内部に防火防煙シャッター１０が内蔵されている。１１はシャッターボックス９の正面中央部に設けられた乗場インジケータ等からなる第２のエレベータ操作信号器具である。なお、第１のエレベータ操作信号器具７および第２のエレベータ操作信号器具１１は、既設のものが縦枠５ｂやシャッターボックス９に組み込めるならば、それを用いても良いし、新規の操作信号器具を縦枠５ｂやシャッターボックス９に設け、それらを既設の操作信号器具の配線部１７ａや不図示の既設の第２のエレベータ操作信号器具の配線部に接続するようにしても良い。何れにしても、その配線部分は、縦枠５ｂ内やシャッターボックス９内で接続、収納することができ、配線の引き回しなどが非常に容易である。
すなわち、この発明による防火防煙シャッター装置の構造は、図４に示すように、乗場三方枠３の左右縦柱の外側の側壁に前方に突出して設けられ、かつ内側開放端を互いに対向させて配置した左側の縦枠５ａの正面中央部に手動閉鎖装置６を設け、一方、右側の縦枠５ｂの正面中央部に乗場操作釦等からなる第１のエレベータ操作信号器具７を設け、更に、乗場三方枠３の上部幕板の前面でかつ縦枠５ａ、５ｂ間に設けられたシャッターボックス９の正面中央部に乗場インジケータ等からなる第２のエレベータ操作信号器具１１を設けたものである。
【００１１】
この実施の形態１によれば、エレベータの防火防煙シャッター装置を構成する各ユニットに操作信号器具などのエレベータ機器を組み込むことにより、エレベータの防火防煙シャッター装置としての意匠性、据付け性を向上させることができる。また、第１のエレベータ操作信号器具を縦枠に突出するように設けたので、従来のように後付けで設けた縦枠の陰に隠れて当該操作信号器具が見難くなることがなく、操作性も向上できる。また、既設のエレベータ操作信号機器７をそのまま残そうとした場合、寸法制約等の問題が発生する恐れがあるが、縦枠５ｂに組み込むことで、配線部の引き回しや接続を容易化できるとともに、各構成部材間の寸法制約を緩和することができる。また、手動閉鎖装置６を縦枠５ａに組み込み一体化させることで、簡易な構成として安価にでき、意匠性も向上させることができる。
【００１２】
実施の形態２.
図５はこの発明の実施の形態２におけるエレベータの防火防煙シャッター装置の要部構成を示す部分断面図である。
【００１３】
この実施の形態２においては、縦枠５を乗場三方枠３の左右縦柱の外側の側壁にそれぞれ取り付けられるベース部分１２と、この各ベース部分１２にそれぞれ取り付けられる断面Ｌ字状の意匠カバー部分１３との２分割構成としたものである。
したがって、先ずベース部分１２を取り付け、その後、意匠カバー部分１３を取り付ける構造とすることで、意匠性を損なうことなく、容易に防火防煙シャッター装置を後付け可能となる。なお、ベース部分１２と意匠カバー部分１３とを取り付ける構成としては、ネジ固定式や、レールを用いた差込式とネジ固定式との組み合わせ等が考えられる。
【００１４】
実施の形態３.
図６はこの発明の実施の形態３におけるエレベータの防火防煙シャッター装置を示す正面図、図７は図６のＢ−Ｂ線に沿った断面図である。
【００１５】
上記実施の形態１では、かごが１台設置の場合について説明したが、この実施の形態３においては、かごが２台並設された場合の例である。図において、５ａは２台並設されたエレベータ乗場における各台毎の乗場三方枠３の外側縦柱の外側の側壁に前方に突出して設けられ、かつ内側開放端を互いに対向させて配置した断面コ字状の両側縦枠で、各両側縦枠５ａの正面中央部には各台毎の乗場出入口を遮煙する防火防煙シャッター装置をそれぞれ動作させる各台毎の手動閉鎖装置６がそれぞれ内蔵されて組み込まれている。５ｃは２台並設されたエレベータ乗場における各台毎の乗場三方枠３の内側縦柱間の側壁に前方に突出して設けられ、かつ両側開放端をそれぞれ各縦枠５ａに対向させて配置した断面コ字状の中央縦枠で、この中央縦枠５ｃの正面中央部には共通の乗場操作釦等からなる第１のエレベータ操作信号器具７が突出するように組み込まれている。８は両側縦枠５ａの内側開放端と中央縦枠５ｃの両側開放端に互いに対向するように設けられたシャッターガイドレール、９は各台毎の乗場三方枠３の上部幕板の前面でかつ両側縦枠５ａと中央縦枠５ｃの間にそれぞれ設けられた各台毎のシャッターボックスで、内部に各台毎の防火防煙シャッター１０がそれぞれ内蔵されている。１１は各台毎のシャッターボックス９の正面中央部にそれぞれ設けられた乗場インジケータ等からなる第２のエレベータ操作信号器具である。なお、第１のエレベータ操作信号器具７および第２のエレベータ操作信号器具１１は、図１に示す実施の形態１のものと同様に、既設のものであっても良いし、新規のものであっても良い。
すなわち、この発明による防火防煙シャッター装置の構造は、図６、図７に示すように、２台並設されたエレベータ乗場における各台毎の乗場三方枠３の外側縦柱の外側の側壁に前方に突出して設けられ、かつ内側開放端を互いに対向させて配置した両側縦枠５ａの正面中央部に各台毎の手動閉鎖装置６をそれぞれ設け、一方、中央縦枠５ｃの正面中央部に共通の乗場操作釦等からなる第１のエレベータ操作信号器具７を設け、更に、各台毎の乗場三方枠３の上部幕板の前面でかつ両側縦枠５ａと中央縦枠５ｃの間に設けられた各台毎のシャッターボックス９の正面中央部に乗場インジケータ等からなる第２のエレベータ操作信号器具１１をそれぞれ設けたものである。
【００１６】
この実施の形態３によれば、複数台のエレベータが隣接した乗場出入口に防火防煙シャッター装置を後付けする場合において、隣接する中央部分の中央縦枠に共通のエレベータ操作信号機器を一体化して組み込むことができる。
【００１７】
実施の形態４.
図８はこの発明の実施の形態４におけるエレベータの防火防煙シャッター装置の要部構成を示す部分断面図である。
【００１８】
この実施の形態４においては、縦枠５のベース部分１２を乗場三方枠３の左右縦柱に直接固定したものである。なお、図８ではシャッターガイドレール、第１のエレベータ操作信号器具などはその図示を省略している。
したがって、縦枠５のベース部分１２が乗場三方枠３の左右縦柱に直接固定されるので、防火防煙シャッター装置のユニットが乗場三方枠３に近接して配置できるので、意匠性が良くなる。また、建築壁の仕上がり具合や材質等に左右されることなく、強固に防火防煙シャッター装置を据付けることができる。
【図面の簡単な説明】
【００１９】
【図１】この発明の実施の形態１におけるエレベータの防火防煙シャッター装置を示す正面図である。
【図２】この発明の実施の形態１におけるエレベータの防火防煙シャッター装置を示す側面図である。
【図３】この発明の実施の形態１におけるエレベータの防火防煙シャッター装置を示す平面図である。
【図４】図１のＡ−Ａ線に沿った断面図である。
【図５】この発明の実施の形態２におけるエレベータの防火防煙シャッター装置の要部構成を示す部分断面図である。
【図６】この発明の実施の形態３におけるエレベータの防火防煙シャッター装置を示す正面図である。
【図７】図６のＢ−Ｂ線に沿った断面図である。
【図８】この発明の実施の形態４におけるエレベータの防火防煙シャッター装置の要部構成を示す部分断面図である。
【図９】従来のエレベータの防火防煙シャッター装置を示す正面図である。
【図１０】従来のエレベータの防火防煙シャッター装置を示す側面図である。
【図１１】従来のエレベータの防火防煙シャッター装置を示す平面図である。
【図１２】従来のエレベータの防火防煙シャッター装置のかごが２台並設された場合を示す正面図である。
【符号の説明】
【００２０】
１  乗場床面
２  乗場天井面
３  乗場三方枠
４  乗場の戸
５ａ、５ｂ  左右又は両側縦枠
５ｃ  中央縦枠
３ｄ  開閉機構
６  手動閉鎖装置
７  第１のエレベータ操作信号器具（乗場操作釦等）
８  シャッターガイドレール
９  シャッターボックス
１０  防火防煙シャッター
１１  第２のエレベータ操作信号器具（乗場インジケータ等）
１２  ベース部分
１３  意匠カバー部分
【図１】
0005217115.tif 000002
【図２】
0005217115.tif 000003
【図３】
0005217115.tif 000004
【図４】
0005217115.tif 000005
【図５】
0005217115.tif 000006
【図６】
0005217115.tif 000007
【図７】
0005217115.tif 000008
【図８】
0005217115.tif 000009
【図９】
0005217115.tif 000010
【図１０】
0005217115.tif 000011
【図１１】
0005217115.tif 000012
【図１２】
0005217115.tif 000013